【事件の表示】
　平成１１年特許願第８３９９号「毛染め剤付与方法」拒絶査定不服審判事件〔平成１２年７月２５日出願公開、特開２０００−２０１７２２号〕について、次のとおり審決する。
【結　論】
　本件審判の請求は、成り立たない。
【理　由】
第１　手続の経緯
　本願は，平成１１年１月１４日の出願であって，平成１５年３月２４日付けで拒絶査定がなされ，これに対し，平成１５年５月１日に拒絶査定に対する審判請求がなされるとともに，平成１５年５月２０日付けで手続補正がなされたものである。
　
第２　平成１５年５月２０日付け手続補正についての補正却下の決定
　
【補正却下の決定の結論】
　平成１５年５月２０日付け手続補正を却下する。
　
【理由】
１．補正後の請求項１に記載された発明
　平成１５年５月２０日付け手続補正書により補正された特許請求の範囲の請求項１に記載された発明（以下，「本件補正発明」という。）は，以下のとおりのものである。
「【請求項１】　
下記の毛染め用具（Ａ）
毛染め用具（Ａ）のブラシ毛に
、その
上記
して、毛髪全体の根元部に毛染め剤を付与したのち、上記毛染め用具（Ａ）の柄を反転させ、頭に毛染め用具（Ａ）のブリッスルを当てて毛髪を梳かすことにより、毛髪根元部に付与された毛染め剤を、毛先に向かって伸ばすようにした
（Ａ）片平面視略三角形状のブラシ台部と、このブラシ台部の一辺部から細幅状に延びる柄部とを備え、上記ブラシ台部の、他の二辺部のうち一方の端面にブラシ毛が、長手方向の幅が２．５〜４ｃｍの列状に植設され、他方の端面にブリッスルが、列状に一体形成されており、上記ブラシ毛が形成された辺と、ブリッスルが形成された辺とからなる角θを二等分する仮想線の延びる方向が、上記柄部の延びる方向と略一致するよう設定されている毛染め用具。
（下線部は補正箇所。）
　
（１）本件補正発明について
　上記請求項１についての補正は，補正前の請求項１に記載した発明を特定するために必要な事項について，
　「長手方向の幅が２．５〜４ｃｍの列状に植設されたブラシ毛」を「下記の毛染め用具（Ａ）」「（Ａ）片平面視略三角形状のブラシ台部と、このブラシ台部の一辺部から細幅状に延びる柄部とを備え、上記ブラシ台部の、他の二辺部のうち一方の端面にブラシ毛が、長手方向の幅が２．５〜４ｃｍの列状に植設され、他方の端面にブリッスルが、列状に一体形成されており、上記ブラシ毛が形成された辺と、ブリッスルが形成された辺とからなる角θを二等分する仮想線の延びる方向が、上記柄部の延びる方向と略一致するよう設定されている毛染め用具」と，
　「まず、毛髪に分け目をつくり、その分け目において、上記毛染め剤を保持したブラシ毛を、ブラシ毛列の長手方向が上記分け目における毛髪の流れる方向に沿うよう毛髪に当て、」を「まず、毛髪に分け目をつくり、その分け目において、上記毛染め用具（Ａ）のブラシ毛に毛染め剤を保持し、そのブラシ毛列の長手方向が上記分け目における毛髪の流れる方向に沿うよう毛髪に当て、」と限定するとともに，
　「上記毛染め用具（Ａ）のブラシ毛に毛染め剤を保持し、」という工程（プロセス）及び「同様の動作を繰り返して、毛髪全体の根元部に毛染め剤を付与したのち、上記毛染め用具（Ａ）の柄を反転させ、頭に毛染め用具（Ａ）のブリッスルを当てて毛髪を梳かすことにより、毛髪根元部に付与された毛染め剤を、毛先に向かって伸ばすようにした」という工程（プロセス）を追加することで限定するものである。そして，補正前の請求項１に記載された発明と本件補正発明の産業上の利用分野及び解決しようとする課題が同一であることから，上記請求項１についての補正は，特許法第１７条の２第４項第２号の特許請求の範囲の減縮を目的とするものに該当する。
　
　そこで，本件補正発明が特許出願の際独立して特許を受けることができるものであるか（特許法第１７条の２第５項で準用する同法第１２６条第４項の規定に適合するか）について検討する。　
　
２．引用刊行物及びその記載事項
　刊行物１：登録実用新案第３０１３４５３号公報
　刊行物２：実願平２−１２８２３１号（実開平４−８１５３６号）のマイ　　　　　　クロフィルム
　　
（１）刊行物１について
　刊行物１には以下の事項が記載されている。
ア．「【００１３】
  図１において、１０は本考案の一実施態様を示すウィービング染毛用器具であって、ウィービング染毛用器具１０は、樹脂製の平坦状基体１１に設けられた、樹脂製櫛１２、人工ハケ１３及び平坦状掴み部１４と、該平坦状掴み部１４に連結固定された先細りのステンレス製ウィービング棒１５とで構成する。」（段落【００１３】）
イ．「【００１４】
  樹脂製櫛１２は、該櫛１２を構成する歯１２ａが平坦状基体１１の長手方向に、ウィービング棒１５の長手方向延長上に平行となるように１列に配列されている。一方人工ハケ１３は、ウィービング棒１５の長手方向に対して、図１中のθが３０°の角度をなすように、平坦状基体１１における前記樹脂製櫛１２の対向面側に設けられている。また前記ウィービング棒１５の胴体径は２ｍｍであり、ウィービング棒１５が連結されている平坦状掴み部１４は、親指と人差指で挟持して掴むのに最適な大きさに基体１１と一体成形して設けられている。」（段落【００１４】）
ウ．「【００１６】
　まず美容師等が、器具１０を、ウィービング棒１５が身体の手前にくるように、親指と人差指で平坦状掴み部１４を掴み、樹脂製櫛１２により毛髪をスライスする。次いで器具１０を、樹脂製櫛１２及び人工ハケ１３が身体の手前にくるように親指と人差指で平坦状掴み部１４を掴み、スライスされた毛髪に複数のウィービングを施す。ウィービングが施された毛髪部分を、例えばアルミ製台紙等に並べ、樹脂製櫛１２による整髪と、染料が塗布された人工ハケ１３による染毛とを、器具１０を回転させながら行うことにより使用することができる。」（段落【００１６】）
エ．【図１】には，以下の事項が示されているといえる。
　「片平面視略三角形状の平坦状基体１１と，この平面上基体１１の一辺部から細幅状に延びる平坦状掴み部１４とを備え，上記平坦状基体１１の，他の二辺部のうち一方の端面に人工ハケ１３が，長手方向の幅が所定の列状に植設されており，他方の端面に樹脂製櫛１２が，列状に一体形成されており，上記人工ハケ１３が形成された辺と，上記平坦状掴み部１４と一体に設けたウィービング棒１５の延びる方向とが所定角θとなるよう設定されている染毛用器具。」
　　
　上記記載事項ア．−ウ．及び図示事項エ．によれば，刊行物１には以下の事項（以下，「引用発明１」という。）が記載されているといえる。
「下記の染毛用器具（Ｂ）を用いて毛髪に染料を塗布する方法であって，まず，毛髪をスライスし，ついでスライスされた毛髪にウィービングを施し，樹脂製櫛１２による整髪と，染料が塗布された人工ハケ１３による染毛とを，器具を回転させながら行う毛髪に染料を塗布する方法。
（Ｂ）片平面視略三角形状の平坦状基体１１と，この平面上基体１１の一辺部から細幅状に延びる平坦状掴み部１４とを備え，上記平坦状基体１１の，他の二辺部のうち一方の端面に人工ハケ１３が，長手方向の幅が所定の列状に植設されており，他方の端面に樹脂製櫛１２が，列状に一体形成されており，上記人工ハケ１３が形成された辺と，上記平坦状掴み部１４と一体に設けたウィービング棒１５の延びる方向とが所定角θとなるよう設定されている染毛用器具。」
　　
（２）刊行物２について
　刊行物２には以下の事項が記載されている。
オ．「１剤、２剤の性状が共に粘度の高いペースト状の場合には、染毛塗布具として、一般的にハケやブラシが用いられている。
　ブラシを用いて染毛する場合には、全体を染めるのに速くできるし、１剤、２剤をブラシに乗せて、そのまま毛髪に塗布し、毛髪上で混合して染液をつくることもできる。この場合、染毛操作は簡単であるが、毛髪の根元に染液が塗布しにくいという問題点があった。
　また、ハケを用いて染毛する場合には、毛髪の根元に染液を確実に塗布することはできるが、１剤、２剤を予め混合しなければならず、全体を染めるのに時間がかかるという問題点があった。」（第２頁第６−１８行）
カ．「染毛するためには、染液を塗布する前に毛髪をスライスする必要があり，柄部の先端が細くなっている方がスライスしやすい。」（第３頁第６−９行）
キ．「この染毛用塗布具は，染毛操作をする人が把持するようにした柄部（１）、摘み部（２）、座部（３）に設けられたブラシ（４）とハケ（５）から成っている。
　ブラシ（４）とハケ（５）は上下逆方向、すなわち背中合わせの状態として設けられている。
　また摘み部（２）は、座部（３）と柄部（１）の間に於いて、上下方向に平坦状面を形成して設けられている。」（第５頁第１４行−第６頁第２行）
ク．「そこで染毛時に、先ず１剤と２剤を目を荒く形成したブラシ（４）上に絞り出して、ブラシ（４）に保持させる。この状態でブラシ（４）が保持する染液を染毛の必要な頭髪部分に塗り付ける。この時頭髪には１剤と２剤は荒く塗られるが、きめ細かくさらに生え際にまで至らない。
　次に柄部（１）を１８０°回動させて、頭髪への接触をブラシ（４）からハケ（５）に変え、ハケ（５）を動かして染液を頭髪に塗り付ける。
　この時、染毛をする人自らが操作をしていると塗布具は頭上にあって見ることができない。しかし操作時には摘み部（２）を指先で挟んでいるため、指先の感触でハケ（５）やブラシ（４）の頭髪に対する角度を知ることができる。」（第６頁第７−２０行）
ケ．「ブラシ（４）とハケ（５）の両方を柄部（１）に対して広がる角度として実施することもできる。
　さらに図示した実施例では、柄部（１）、摘み部（２）、座部（３）及びブラシ（４）を合成樹脂の一体成形により形成し、ハケ（５）を前記座部（３）に対し植毛して形成している。」（第７頁第２０行−第８頁第６行）
コ．第１図，第２図には，以下の事項が示されているといえる。
　「片平面視略三角形状の座部（３）と，この座部（３）の一辺部から細幅状に延びる柄部（１）とを備え，上記座部（３）の，他の二辺部のうちの一方の端面にハケ（５）が，長手方向の幅が所定の列状に植設されており，他方の端面にブラシ（４）が，列状に形成された染毛用塗布具。」
　　
　上記記載事項カ．−ケ．及び図示事項コ．によれば，刊行物２には，以下の事項（以下，「引用発明２」という。）が記載されているといえる。
「下記の染毛用塗布具（Ｃ）を用いて頭髪に染液を塗布する方法であって，まず，染液を塗布する前に頭髪をスライスし，ついで，染液をブラシ（４）上に保持し，このブラシ（４）が保持する染液を染毛の必要な頭髪部分に塗り付け，そして，柄部（１）を１８０°回動させて，頭髪への接触をブラシ（４）からハケ（５）に変え，ハケ（５）を動かして染液を頭髪の生え際に塗り付ける染液塗布方法。
（Ｃ）片平面視略三角形状の座部（３）と，この座部（３）の一辺部から細幅状に延びる柄部（１）とを備え，上記座部（３）の，他の二辺部のうちの一方の端面にハケ（５）が，長手方向の幅が所定の列状に植設されており，他方の端面にブラシ（４）が，列状に一体成形されており，上記ハケ（５）とブラシ（４）の両方を柄部（１）に対して広がる角度として形成された染毛用塗布具。」
　　
３．対比
　本件補正発明と引用発明２とを対比するに当たり，まず，染毛に使用する器具について対比・検討し，次いで方法の発明について対比する。
　
（１）染毛に使用する器具についての対比
　本件補正発明の「毛染め用具（Ａ）」と引用発明２の「染毛用塗布具（Ｃ）」を対比するに，引用発明２の「座部（３）」は本件補正発明の「ブラシ台部」に相当し，以下同様に，引用発明２の「ハケ（５）」は本件補正発明の「ブラシ毛」に，引用発明２の「ブラシ（４）」は本件補正発明の「ブリッスル」に，それぞれ相当する。
　また，引用発明２は「ブラシ毛」と「柄部」，「ブリッスル」と「柄部」のなす角度について限定しているが，これは各部材の長手方向（各部材の辺やその延びる方向）同士のなす角度により限定していることは明らかであ
る。
　したがって，引用発明２の「ハケ（３）とブラシ（４）の両方を柄部（１）に対して広がる角度として形成」は，「ブラシ毛が形成された辺と，ブリッスルが形成された辺とからなる角θを二分する仮想線の延びる方向が，上記柄部の延びる方向と略一致するよう設定」と同じことである。
　
　してみれば，本件補正発明と引用発明２とは，「片平面視略三角形状のブラシ台部と、このブラシ台部の一辺部から細幅状に延びる柄部とを備え、上記ブラシ台部の、他の二辺部のうち一方の端面にブラシ毛が、長手方向の幅が所定の列状に植設され、他方の端面にブリッスルが、列状に一体形成されており，上記ブラシ毛が形成された辺と，ブリッスルが形成された辺とからなる角θを二分する仮想線の延びる方向が，上記柄部の延びる方向と略一致するよう設定されている毛染め用具」である点で一致し，以下の点で相違する。
（相違点１）「ブラシ毛」の「長手方向の幅」について，本件補正発明が「２．５〜４ｃｍ」であるのに対し，引用発明２が「所定」である点。
（相違点２）「柄部の延びる方向」について，本件補正発明が「角θを二等分する仮想線」の延びる方向に略一致するのに対し，引用発明２は「角θを二分する仮想線」の延びる方向に略一致する点。
　
（２）上記相違点１，２についての検討
ア．相違点１について
　「ブラシ毛」の幅を如何にするかは必要に応じて設定することのできる単なる設計事項に過ぎず，そのような限定による格別な効果も見いだすことができない。
イ．相違点２について
　「二等分」とするかどうかは必要に応じて設定することのできる単なる設計事項に過ぎず，また，本件補正発明の「略一致」という事項からみても「柄部の延びる方向」が「角θ」を「二等分」する仮想線の延びる方向と完全に一致させる必要がなく，多少ずれていても構わないことは明らかであり，そのような限定による格別な効果も見いだすことができない。
　
　してみれば，本件補正発明の「毛染め用具（Ａ）」と引用発明２の「染毛用塗布具（Ｃ）」は実質的に同一のものであるということができる。
　
（３）本件補正発明と引用発明２の対比
　上記（２）の対比・検討に基づき，本件補正発明と引用発明２とを対比すると，引用発明２の「染毛用塗布具（Ｃ）」は本件補正発明の「毛染め用具（Ａ）」に相当し，以下同様に，引用発明２の「頭髪」は本件補正発明の「毛髪」に，引用発明２の「塗布する方法」は本件補正発明の「付与する方法」に，引用発明２の「染液」は本件補正発明の「毛染め剤」に，引用発明２の「頭髪をスライスし」は本件補正発明の「毛髪に分け目をつくり」に，引用発明２の「生え際」は本件補正発明の「根本部」に相当する。してみれば，本件補正発明と引用発明２とは，「毛染め用具（Ａ）を用いて毛髪に毛染め剤を付与する方法であって，まず，毛髪に分け目をつくり，上記毛染め用具（Ａ）に毛染め剤を保持し，毛髪の部分に毛染め剤を塗布し，ブラシ毛で毛髪の根元部に毛染め剤を付与する毛染め剤付与方法」である点で一致し，以下の点で相違する。
（相違点）本件補正発明が「その分け目において、上記毛染め用具（Ａ）のブラシ毛に毛染め剤を保持し、そのブラシ毛列の長手方向が上記分け目における毛髪の流れる方向に沿うよう毛髪に当て、上記毛髪の流れが乱れないよう片手で押さえた状態で、他方の手で上記ブラシ毛を、毛髪の流れを横切るように前後に動かしてブラシ毛列の長手方向の幅と略同じ幅だけ毛髪に毛染め剤を塗布し、つぎに、上記毛染め剤が塗布された領域からずれた位置で新たな分け目をつくり、その分け目において、上記一連の毛染め剤塗布動作を行うことにより、先に毛染め剤が塗布された領域と隙間なく、ブラシ毛列の長手方向の幅と略同じ幅だけ毛髪に毛染め剤を塗布し、以下、同様の動作を繰り返して、毛髪全体の根元部に毛染め剤を付与したのち、上記毛染め用具（Ａ）の柄を反転させ、頭に毛染め用具（Ａ）のブリッスルを当てて毛髪を梳かすことにより、毛髪根元部に付与された毛染め剤を、毛先に向かって伸ばすようにした」のに対し，引用発明２はそうではない点。
　
４．判断
　ブリッスルとハケの両方を備える毛染め器具を使用した染毛方法には，様々な方法が知られている。例えば，引用発明１によれば，樹脂製櫛（本件補正発明の「ブリッスル」に相当。以下，単に（ブリッスル）と括弧書きする。）による整髪と人工ハケ（ブラシ毛）による染毛とを器具を回転させながら行うことが知られており，引用発明２によれば，ブラシ（ブリッスル）が保持する染液を染毛の必要な頭髪部分に塗り付け，そして，柄部を１８０°回動させて，頭髪（毛髪）への接触をブラシ（ブリッスル）からハケ（ブラシ毛）に変え，ハケ（ブラシ毛）を動かして染液を頭髪の生え際に塗り付ける方法が知られている。また，上記記載事項２．（２）オ．によれば，染毛方法として，ブラシだけを用いて，或いは，ハケだけを用いて染毛することが従来知られていることから，ブラシ（ブリッスル）とハケ（ブラシ毛）の両方を備える毛染め器具を使用する場合であっても，ブラシ（ブリッスル）だけ，或いは，ハケ（ブラシ毛）だけを使用して染毛できることは明らかである。その際，ブラシを用いる場合には頭髪（毛髪）を梳くようにすることで，ハケを用いる場合には頭髪（毛髪）上を塗るようにすることで，染液（毛染め剤）を塗布（付与）することや，頭髪（毛髪）の生え際（根元部）から先端部に向けて塗布（付与）することなども知られている。
　また，染毛の仕上がりをどうするか，つまり，均一に染めるか，部分的に染めるか，染め方に濃淡をつけるかは，美容師や自己で毛染めする者など使用者の好みに応じて適宜決定し得ることである。一般的に，頭髪（毛髪）の性質や状態，つまり，頭髪（毛髪）の根元部（生え際）の密集度やその向き，ストレートかちぢれ毛といった頭髪（毛髪）自体の形状，白や黒といった頭髪（毛髪）の色などは，人間毎，頭の各部分毎で様々に異なる。そして，毛染め剤の量が多いほど染めの効果が大きいことは従来周知である。
　このため，使用者は，染毛に当たり，頭髪（毛髪）の性質や状態とともにその好みに応じて，毛染め器具の使用方法を常にいろいろ工夫するものである。
　以上を踏まえれば，染毛に当たり，引用発明２の「染毛用塗布具（毛染め用具）」を本件補正発明のように用いることは，使用者が，毛髪の性質や状態とともにその好みに応じて，適宜なし得るものに過ぎないといえる。
　　
　したがって，本件補正発明は，上記刊行物１及び２に記載された発明及び従来周知の技術に基づいて当業者が容易に発明をすることができたものであるから，特許法第２９条第２項の規定により特許を受けることができない。
　
５．むすび
　以上のとおり，本件補正は，平成１５年法前の特許法第１７条の２第５項で準用する同法第１２６条第４項の規定に違反するものであり，特許法第１５９条第１項で読み替えて準用する同法第５３条第１項の規定により却下すべきものである。
　　
第３　本願発明について
１．本願発明
　平成１５年５月２０日付け手続補正は上記のとおり却下されたので，本願の請求項１に係る発明（以下，「本願発明」という。）は，平成１５年１月９日付け手続補正書の特許請求の範囲の請求項１に記載された次のとおりのものである。
「【請求項１】　長手方向の幅が２．５〜４ｃｍの列状に植設されたブラシ毛を用いて毛髪に毛染め剤を付与する方法であって、まず、毛髪に分け目をつくり、その分け目において、上記毛染め剤を保持したブラシ毛を、ブラシ毛列の長手方向が上記分け目における毛髪の流れる方向に沿うよう毛髪に当て、上記毛髪の流れが乱れないよう片手で押さえた状態で、他方の手でブラシ毛を、毛髪の流れを横切るように前後に動かしてブラシ毛列の長手方向の幅と略同じ幅だけ毛髪に毛染め剤を塗布し、つぎに、上記毛染め剤が塗布された領域からずれた位置で新たな分け目をつくり、その分け目において、上記一連の毛染め剤塗布動作を行うことにより、先に毛染め剤が塗布された領域と隙間なく、ブラシ毛列の長手方向の幅と略同じ幅だけ毛髪に毛染め剤を塗布し、以下、同様の動作を繰り返すことを特徴とする毛染め剤付与方法。」
　　
２．引用刊行物及びその記載事項
　原査定の拒絶の理由に引用した引用例，及びその記載事項は前記「第２」の「２．」に記載したとおりである。
　　　
３．対比・判断
　本願発明は，前記「第２」で検討した本件補正発明の「下記の毛染め用具（Ａ）」「（Ａ）片平面視略三角形状のブラシ台部と、このブラシ台部の一辺部から細幅状に延びる柄部とを備え、上記ブラシ台部の、他の二辺部のうち一方の端面にブラシ毛が、長手方向の幅が２．５〜４ｃｍの列状に植設され、他方の端面にブリッスルが、列状に一体形成されており、上記ブラシ毛が形成された辺と、ブリッスルが形成された辺とからなる角θを二等分する仮想線の延びる方向が、上記柄部の延びる方向と略一致するよう設定されている毛染め用具」を「長手方向の幅が２．５〜４ｃｍの列状に植設されたブラシ毛」と，
「まず、毛髪に分け目をつくり、その分け目において、上記毛染め用具（Ａ）のブラシ毛に毛染め剤を保持し、そのブラシ毛列の長手方向が上記分け目における毛髪の流れる方向に沿うよう毛髪に当て、」を「まず、毛髪に分け目をつくり、その分け目において、上記毛染め剤を保持したブラシ毛を、ブラシ毛列の長手方向が上記分け目における毛髪の流れる方向に沿うよう毛髪に当て、」として一部構成を省くとともに，
「上記毛染め用具（Ａ）のブラシ毛に毛染め剤を保持し、」という工程（プロセス）及び「同様の動作を繰り返して、毛髪全体の根元部に毛染め剤を付与したのち、上記毛染め用具（Ａ）の柄を反転させ、頭に毛染め用具（Ａ）のブリッスルを当てて毛髪を梳かすことにより、毛髪根元部に付与された毛染め剤を、毛先に向かって伸ばすようにした」という工程（プロセス）を省いたものである。
　そうすると，本願発明を特定するために必要な事項を全て含み，さらに他の事項を付加したものに相当する本件補正発明が，前記「第２　４．」に記載したとおり，刊行物１及び２に記載された発明及び従来周知の技術に基づいて，当業者が容易に発明をすることができたものであるから，本願発明も，同様の理由により，刊行物１及び２に記載された発明及び従来周知の技術に基づいて，当業者が容易に発明をすることができたものである。
　　
４．むすび
　以上のとおり，本願発明は，上記刊行物１及び２に記載された発明及び従来周知の技術に基づいて，当業者が容易に発明をすることができたものであるから，特許法第２９条第２項の規定により特許を受けることができない。
　
　よって，結論のとおり審決する。